(57)【要約】【課題】気液分離器や制御部等の機器を冷気通路内に配置したとしても、冷気通路の容積の増大およびファンの送風能力の低下の抑制が図られた冷却庫を提供する。【解決手段】冷却庫１は、冷却対象物を冷却する冷蔵室６と、冷蔵室６に供給される冷気を生成する冷却器１８と、冷却器１８が収められると共に、冷却器１８から上方に向けて延びる収容室２４を形成する筐体と、収容室２４の側面のうち、冷却器１８よりも上方に形成された開口部３１と、開口部３１に設けられたファン３２と、冷却器１８から冷気をファン３２に向けて案内する案内壁部と、筐体と案内壁部との間に形成された機器収容室とを備える。【選択図】図１
2012042077.tif 000002
【特許請求の範囲】
【請求項１】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
前記案内壁部に対して前記ファンと反対側に位置し、前記案内壁部および前筐体の間に形成され、機器を収容可能な機器収容室と、
を備えた、冷却庫。
【請求項２】
前記機器収容室には、前記冷却器からの冷気を取りれる取入口と、前記機器収容室内の空気を前記ファンに向けて排気する排気口とが形成された、請求項１に記載の冷却庫。
【請求項３】
前記案内壁部は、断熱材料から形成された、請求項１に記載の冷却庫。
【請求項４】
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とを含み、
前記隔壁部および前記第１側壁部によって第１角部が形成され、
前記隔壁部および前記第２側壁部によって第２角部が形成され、
前記案内壁部は、前記ファンと隣り合う第１案内側壁部と、前記ファンに対して前記第１案内側壁部と反対側に位置する第２案内側壁部とを含み、
前記機器収容室は、前記第１角部および前記第１案内側壁部によって形成された第１分割収容室と、前記第２角部および前記第２案内側壁部によって形成された第２分割収容室とを含む、請求項１から請求項３のいずれかに記載の冷却庫。
【請求項５】
前記冷却器に接続された気液分離器をさらに備え、
前記気液分離器は、前記機器収容室に収容された、請求項１から請求項４のいずれかに記載の冷却庫。
【請求項６】
前記冷却器の駆動を制御する制御部をさらに備え、
前記制御部は、前記機器収容室に収容された、請求項１から請求項５のいずれかに記載の冷却庫。
【請求項７】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
を備え、
前記案内壁部は、断熱材料から形成された、冷却庫。
【請求項８】
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とによって形成され、
前記開口部は前記隔壁部に形成され、
前記ファンは、上方に向かうにつれて、前記隔壁部から前記背面壁部に向かうように傾斜させられた、請求項１から請求項７のいずれかに記載の冷却庫。
【請求項９】
前記隔壁部のうち、前記案内壁部と前記第１側壁部との間に設けられた第１ルーバと、
前記隔壁部のうち、前記案内壁部と前記第２側壁部との間に設けられた第２ルーバと、  をさらに備え、
前記第１ルーバおよび前記第２ルーバは、上方に向かうにつれて、前記隔壁部から前記背面壁部に向かうように傾斜させられた、請求項８に記載の冷却庫。
【請求項１０】
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とによって形成され、
前記開口部は前記隔壁部に形成され、
前記ファンは、前記第１側壁部側、前記上壁部側および前記第２側壁部側を順次通るように回転し、
前記冷却器収容室のうち、前記冷却器よりも上方であって、前記ファンと前記第１側壁部との間にする容積は、前記冷却器よりも上方であって、前記ファンと前記第２側壁部との間にする容積よりも大きい、請求項１から請求項９のいずれかに記載の冷却庫。
【発明の詳細な説明】
【技術分野】
【０００１】
本発明は、冷蔵庫などの冷却庫に関する。  
【背景技術】
【０００２】
たとえば、特開２００７−７１４８４号公報などに示すように、一般に、冷蔵庫などの冷却庫は、冷蔵室や冷凍室などの冷却室と、この冷却室に供給する冷気を生成する冷却器と、冷却器によって生成された冷気を冷却室に向けて送風する送風器とを備える。冷却器および送風機は冷却器室に収容されている。
【０００３】
特開２００９−６３２２１号公報に記載された冷蔵庫は、貯蔵物を冷却保存する冷却室と、冷却室に流入する冷気を生成する冷却器と、冷却器で生成された冷気を流通させる送風機とを備える。
【０００４】
冷却室の背後には、背面板で仕切られる冷気通路が設けられており、冷気通路は、仕切板によって前部と後部とに仕切られている。後部には、冷却器および送風機が配置されている。
【０００５】
送風機の外枠部は、方形形状となるように形成されており、送風機の枠部の側面と、冷気通路の内周面との間は近接している。
【０００６】
特開２００２−３１４６５号公報に記載された電気冷蔵庫は、複数の冷蔵室と、蒸発器と、蒸発器で生成された冷気を送出する送風ファンと、送風ファンから各冷蔵室に送風ファンからの送り出された冷気を配分する冷気配分ダクトとを備える。そして、冷気配分ダクトの左右側壁部には、内方に突出する山型状の凸部が形成されている。
【０００７】
特開２００２−２２８３２８号公報に記載された電気冷蔵庫は、冷蔵室、野菜室および冷凍室と、野菜室の後方に設けられた蒸発器室と、蒸発器室内に設けられた蒸発器と、蒸発器の上方に設けられた送風ファンとを備える。
【０００８】
特開２００３−１１４０８４号公報および特開平１０−２６５３号公報に記載された冷蔵庫は、蒸発器と、蒸発器が内部に設けられた冷気通路と、蒸発器の上方に配置されたファンと、蒸発器を通過した冷気をファンに向けて案内する誘導案内面とを備える。
【先行技術文献】
【特許文献】
【０００９】
【特許文献１】特開２００７−７１４８４号公報
【特許文献２】特開２００９−６３２２１号公報
【特許文献３】特開２００２−３１４６５号公報
【特許文献４】特開２００２−２２８３２８号公報
【特許文献５】特開２００３−１１４０８４号公報
【特許文献６】特開平１０−２６５３号公報
【発明の概要】
【発明が解決しようとする課題】
【００１０】
一般に、冷却器内の冷媒は、気液分離器をとおり、気体状の冷媒が圧縮機に戻される。圧縮機や冷却器の駆動は、制御部によって制御されている。
【００１１】
特開２００７−７１４８４号公報に記載された冷蔵庫において、気液分離器や制御部を冷気通路や冷却器室の外に配置すると、冷媒管の引き回しや、配線の引き回しなどが複雑なものとなる。単純に気液分離器や制御部などを冷気通路内や冷却器室内に配置すると、冷却通路や冷却器室が大きくなり、冷蔵室や冷凍室の容積が小さくなってしまう。
【００１２】
さらに、単純に冷気通路や冷却器室内に気液分離器や制御部を配置すると、送風器の送風性能が著しく低下するおそれがある。
【００１３】
また、送風器の送風効率の向上を図るために、案内壁部を設けることが考えられるが、冷気が案内壁部によって案内される間に冷気の温度が上がるおそれがある。
【００１４】
特開２００９−６３２２１号公報に記載された冷蔵庫においては、送風機の外枠部と冷気通路の内周面との間の距離は狭く、冷気通路内の冷気が送風機によって前部に送られにくくなっている。
【００１５】
このため、特開２００９−６３２２１号公報に記載された冷蔵庫においては、仮に、冷気通路内に気液分離器や制御部を配置すると、冷気通路の容積が大きくなると共に、送風器の送風効率は著しく低下する。
【００１６】
特開２００２−３１４６５号公報に記載された電気冷蔵庫においても、蒸発器が設けられた部屋に、気液分離器や制御部を単純に配置したのでは、蒸発器が設けられた部屋が大きくなったり、送風ファンの送風能力が低下したりする。特開２００２−２２８３２８号公報に記載された電気冷蔵庫においても同様に、蒸発器室内に単純に気液分離器や制御部を配置したのでは、蒸発器室が大きくなったり、送風ファンの送風能力が低下するおそれがある。
【００１７】
特開２００３−１１４０８４号公報および特開平１０−２６５３号公報に記載された冷蔵庫においても、気液分離器や制御部などを単純に冷気通路内に配置すると、冷気通路が大きくなったり、ファンの送風効率が著しく低下する。また、冷気が誘導案内面によって案内される間に暖められるおそれがある。
【００１８】
本発明は、上記のような課題に鑑みてなされたものであって、その第１の目的は、気液分離器や制御部等の機器を冷気通路内に配置したとしても、冷気通路の容積の増大およびファンの送風能力の低下の抑制が図られた冷却庫を提供することである。本発明の第２の目的は、冷却器によって生成された冷気をファンに案内するときに、冷気の温度が上昇することが抑制された冷却庫を提供することである。
【課題を解決するための手段】
【００１９】
本発明に係る冷却庫は、冷却対象物を冷却する冷却室と、冷却室に供給される冷気を生成する冷却器と、冷却器が収められると共に、冷却器から上方に向けて延びる収容室を形成する筐体と、収容室の内側面のうち、冷却器よりも上方に位置する部分に形成された開口部と、開口部に設けられ、冷気を開口部から冷却室に供給するファンと、収容室内に設けられると共に、ファンの側方からファンの上端側に向けて延び、冷却器からの冷気をファンに案内する案内壁部と、案内壁部に対してファンと反対側に位置し、案内壁部および前筐体の間に形成され、機器を収容可能な収容室とを備える。
【００２０】
好ましくは、上記収容室には、冷却器からの冷気を取りれる取入口と、収容室内の空気をファンに向けて排気する排気口とが形成される。好ましくは、上記案内壁部は、断熱材料から形成される。
【００２１】
好ましくは、上記筐体は、冷却室側に位置する隔壁部と、隔壁部の側辺に設けられた第１側壁部と、第１側壁部と対向する第２側壁部と、隔壁部と対向する背面壁部と、隔壁部の上端に設けられた上壁部とを含む。上記隔壁部および第１側壁部によって第１角部が形成され、隔壁部および第２側壁部によって第２角部が形成される。上記案内壁部は、ファンと隣り合う第１案内側壁部と、ファンに対して第１案内側壁部と反対側に位置する第２案内側壁部とを含む。上記収容室は、第１角部および第１案内側壁部によって形成された第１分割収容室と、第２角部および第２案内側壁部によって形成された第２分割収容室とを含む。
【００２２】
好ましくは、上記冷却器に接続された気液分離器をさらに備え、気液分離器は、収容室に収容される。
【００２３】
好ましくは、上記冷却器の駆動を制御する制御部をさらに備え、制御部は、収容室に収容される。
【００２４】
本発明に係る冷却庫は、他の局面では、冷却対象物を冷却する冷却室と、冷却室に供給される冷気を生成する冷却器と、冷却器が収められると共に、冷却器から上方に向けて延びる収容室を形成する筐体と、収容室の内側面のうち、冷却器よりも上方に位置する部分に形成された開口部と、開口部に設けられ、冷気を開口部から冷却室に供給するファンと、収容室内に設けられると共に、ファンの側方からファンの上端側に向けて延び、冷却器からの冷気をファンに案内する案内壁部とを備える。上記案内壁部は、断熱材料から形成される。
【００２５】
好ましくは、上記筐体は、冷却室側に位置する隔壁部と、隔壁部の側辺に設けられた第１側壁部と、第１側壁部と対向する第２側壁部と、隔壁部と対向する背面壁部と、隔壁部の上端に設けられた上壁部とによって形成される。上記開口部は隔壁部に形成され、ファンは、上方に向かうにつれて、隔壁部から背面壁部に向かうように傾斜させられる。
【００２６】
好ましくは、上記隔壁部のうち、案内壁部と第１側壁部との間に設けられた第１ルーバと、隔壁部のうち、案内壁部と第２側壁部との間に設けられた第２ルーバとをさらに備える。上記第１ルーバおよび第２ルーバは、上方に向かうにつれて、隔壁部から背面壁部に向かうように傾斜させられる。
【００２７】
好ましくは、上記筐体は、冷却室側に位置する隔壁部と、隔壁部の側辺に設けられた第１側壁部と、第１側壁部と対向する第２側壁部と、隔壁部と対向する背面壁部と、隔壁部の上端に設けられた上壁部とによって形成される。上記開口部は隔壁部に形成され、ファンは、第１側壁部側、上壁部側および第２側壁部側を順次通るように回転する。上記収容室のうち、冷却器よりも上方であって、ファンと第１側壁部との間にする容積は、冷却器よりも上方であって、ファンと第２側壁部との間にする容積よりも大きい。
【発明の効果】
【００２８】
発明に係る冷却庫によれば、気液分離器や制御部等の機器を冷却器が収められた冷気通路内に配置したとしても、冷気通路の容積の増大を抑制することができると共に、ファンの送風効率の低下を抑制することができる。
【図面の簡単な説明】
【００２９】
【図１】本実施の形態１に係る冷却庫１を模式的に示す側断面図である。
【図２】冷却器１８およびアキュームレータ１９を示す背面図であり、冷却庫１の背面側から見た背面図である。
【図３】収容室２４、冷却器１８およびファン３２等を示す分解斜視図である。
【図４】図４は、収容室２４、冷却器１８およびファン３２等を示す斜視図である。
【図５】ファン３２および冷却器１８等の配置状態を示す側断面図である。
【図６】上記図３および図４に示すように、ファン３２の両側に案内壁部５０および案内壁部５１を配置したときの空気の流れを示すシミュレーション結果である。
【図７】案内壁部５０および案内壁部５１を配置しないときの空気の流れを示すシミュレーション結果である。
【図８】案内壁部５０および案内壁部５１の変形例を示す斜視図である。
【図９】図８に示す案内壁部５０および案内壁部５１を採用したときの空気の流れシミュレーションしたときの結果を示す図である。
【図１０】本実施の形態２に係る冷却庫１に設けられた収容室２４およびファン３２等を示す斜視図である。
【図１１】図１１は、図１０に示された収容室２４などの正面図である。
【図１２】本実施の形態３に係る冷却庫に設けられた収容室２４、ファン３２および冷却器１８などを示す斜視図である。
【図１３】収容室２４および冷却器１８等を示す斜視図である。
【図１４】図１３に示す収容室２４および冷却器１８などの正面図である。
【図１５】収容室２４内などを示す斜視図である。
【図１６】図１２に示す例の第１変形例を示す斜視図である。
【図１７】図１２に示す例の第２変形例を示す斜視図である。
【図１８】図１６に示す例の変形例を示す斜視図である。
【図１９】図１７に示す例の変形例である。
【図２０】本発明に係る冷却庫のファン３２、案内部材６５，６６および冷却器１８を模式的に示した図である。
【図２１】耳部９０，９１、ファン３２および冷却器１８を模式的に示した図である。
【発明を実施するための形態】
【００３０】
図１から図２１を用いて、本発明に係る冷却庫１について説明する。なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではなく、各々の構成要素の位置関係も、特に記載がある場合を除き、本発明にとって必ずしも限定されるものではない。また、以下に複数の実施の形態が存在する場合、特に記載がある場合を除き、各々の実施の形態の特徴部分を適宜組合わせることは、当初から予定されている。
【００３１】
（実施の形態１）
図１は、本実施の形態１に係る冷却庫１を模式的に示す側断面図である。この図１に示すように冷却庫１は、冷蔵室などが内部に形成された筐体２と、冷蔵室などに供給する冷気を生成する冷却装置と、この冷凍装置などの駆動を制御する制御部３０とを備える。
【００３２】
筐体２は、外箱３と、内箱４と、外箱３および内箱４の間に充填された断熱材５とを備える。冷却庫１は、筐体２内部の上部に形成された冷蔵室６と、冷蔵室６の下方に形成された製氷室７と、製氷室７の下方に形成された冷凍室８と、冷凍室８の下方に形成された野菜室９とを備える。
【００３３】
筐体２は、冷蔵室６を開閉する扉１０と、製氷室７を開閉する扉１１と、冷凍室８を開閉する扉１２と、野菜室９を開閉する扉１３とを含む。
【００３４】
筐体２は、天板壁２０と、天板壁２０の周縁部から垂下する背面壁２１と、図示されない両側壁部とを含む。筐体２は、冷蔵室６および製氷室７の間に設けられた断熱壁１４と、冷凍室８および野菜室９の間に設けられた断熱壁１５とを含む。
【００３５】
冷凍室８の背面側には、冷気通路２２が設けられており、冷凍室８と冷気通路２２との間には隔壁部２３が設けられている。冷気通路２２の背面側には、後述する冷却器１８等が収容された収容室２４が設けられている。収容室２４および冷気通路２２の間には、隔壁部２５が設けられている。収容室２４は、隔壁部２５および背面壁２１を含む筐体によって形成されており、収容室２４は、高さ方向に延びるように形成されている。
【００３６】
冷蔵室６の背面側には冷却通路２７が設けられており、冷却通路２７と冷蔵室６との間には、隔壁部２６が設けられている。
【００３７】
冷却通路２７と冷気通路２２とは接続されており、冷却通路２７および冷気通路２２の間にはダンパ２９よびファン２８が設けられている。
【００３８】
冷却装置は、冷蔵室６、製氷室７、冷凍室８および野菜室９に冷気を供給するための冷気を生成する。冷却装置は、冷媒ガスを圧縮する圧縮機１７と、圧縮機１７で圧縮された高温高圧の冷媒ガスを凝縮させる凝縮器（図示せず）と、凝縮器で凝縮された冷媒液が通る膨張器（図示せず）と、膨張器で圧力が下げられた冷媒液を蒸発させる冷却器（蒸発器）１８と、冷却器１８および圧縮機１７に接続されたアキュームレータ１９とを備える。
【００３９】
圧縮機１７は、野菜室９の背面側に形成された機械室１６内に収容されている。冷却器１８は、機械室１６の上方に位置し、収容室２４内に収容されている。アキュームレータ１９も、収容室２４内に収容され、冷却器１８の上方に設けられている。収容室２４内には、制御部３０も収容されている。
【００４０】
収容室２４の内側面のうち、冷却器１８よりも上方に位置する部分には、開口部３１が形成されており、この開口部３１にファン３２が設けられている。冷却器１８の下方にはヒータ３３が設けられており、ヒータ３３と冷却器１８の間にはヒータカバ３４が配置されている。
【００４１】
冷却装置が駆動すると、収容室２４内において冷却器１８の周囲に位置する空気が冷却される。ファン３２は、冷却された収容室２４内の空気を冷気通路２２に流し込む。冷気通路２２には、冷気口などが形成されており、製氷室７や冷凍室８内に入り込む。
【００４２】
ファン２８は、冷気通路２２に供給された冷気を冷却通路２７に流し込む。隔壁部２６には、冷蔵室６に通じる冷気口が形成されており、この冷気口から冷蔵室６内に冷気が入り込む。冷凍室８の底面側には、収容室２４に連通する戻り通路３５が設けられており、野菜室９にも収容室２４に連通する戻り通路３６が設けられている。
【００４３】
冷蔵室６、製氷室７、冷凍室８および野菜室９などを通り冷却対象物を冷却した空気は、戻り通路３５，３６から収容室２４内に入り込み、再度、冷却器１８によって冷却される。
【００４４】
戻り通路３５や戻り通路３６から収容室２４内に入り込む空気は水分を多く含む場合がある。このような空気が冷却器１８によって冷却されることで、冷却器１８に霜が付着する場合がある。
【００４５】
制御部３０は、冷却器１８などに付着した霜を除霜するために、所定のタイミングで、冷却装置およびヒータ３３を除霜運転させる。除霜運転中においては、冷却装置の駆動は停止し、ヒータ３３が駆動する。ヒータ３３が駆動することで、冷却器１８等の表面に付着した霜が除かれる。
【００４６】
図２は、冷却器１８およびアキュームレータ１９を示す背面図であり、冷却庫１の背面側から見た背面図である。この図２に示すように、冷却器１８は、冷媒が流れる冷媒管３７と、冷媒管に設けられた複数の冷却フィン３８とを含む。
【００４７】
冷媒管３７は、始端部３９から蛇行しながら下方に向けて延び、さらに、下方から上方に向けて蛇行しながら延びている。冷媒管３７の始端部３９には、膨張器として機能するキャピラリチューブが接続されており、キャピラリチューブから冷媒が冷媒管３７に供給される。冷媒が冷媒管３７内に入り込むと、冷媒が気化し、冷却器１８の周囲に位置する空気が冷却フィン３８等を介して冷却される。終端部４０には気液分離器として機能するアキュームレータ（気液分離器）１９が接続されており、液体状の冷媒がアキュームレータ１９に溜められ、気体状の冷媒が圧縮機１７に送られる。
【００４８】
図３は、収容室２４、冷却器１８およびファン３２等を示す分解斜視図であり、図４は、収容室２４、冷却器１８およびファン３２等を示す斜視図である。なお、図３は、冷却庫１の正面側から見た斜視図であり、図４は、冷却庫１の背面側から見た斜視図である。
【００４９】
図３および図４に示すように、背面壁２１は、板状に形成された主壁部４４と、主壁部４４の主表面に形成された、高さ方向に延びる側壁部４１と、側壁部４１と間隔をあけて形成された側壁部４２と、側壁部４１および側壁部４２の上辺部を接続するように設けられた上壁部４３とを含む。
【００５０】
隔壁部２５は、側壁部４１、側壁部４２および上壁部４３を覆うように配置されている。換言すれば、収容室２４を形成する筐体は、側壁部４１、側壁部４２、上壁部４３および隔壁部２５を含む。隔壁部２５は、平坦部４５と、平坦部４５に連設された傾斜部４６とを含む。傾斜部４６は、下方から上方に向かうにつれて、主壁部４４側に倒れこむように傾斜している。
【００５１】
傾斜部４６には、開口部３１が形成されており、開口部３１にファン３２が配置されている。図５は、ファン３２および冷却器１８等の配置状態を示す側断面図である。この図５に示すように、ファン３２は、上方に向かうにつれて、主壁部４４に近接するように傾斜するように配置されている。
【００５２】
ファン３２と隔壁部２３との間の距離を距離Ｌ１とし、隔壁部２５と隔壁部２３との間の距離を距離Ｌ２とする。ファン３２と主壁部４４との間の距離を距離Ｌ３とする。具体的には、距離Ｌ１は、ファン３２の回転中心線を通る仮想軸線Ｏ１および隔壁部２３の交点と、ファン３２との間の距離である。距離Ｌ３は、ファン３２の回転中心軸線を通る仮想軸線Ｏ１および主壁部４４の交点と、ファン３２との間の距離である。一般に、ファンの送風能力は、ファンの周囲に位置する近傍壁との距離が近くなると著しく低下する。そこで、回転中心線が水平方向に向くように、ファン３２を立たせたときのファン３２Ａと、ファン３２とについて検討する。ファン３２Ａと主壁部４４との間の距離を距離Ｌ６とする。この際、距離Ｌ６と上記距離Ｌ３との間の距離が等しくなるように、ファン３２Ａは位置している。
【００５３】
破線で示された隔壁部２３Ａは、ファン３２Ａとの距離Ｌ４が、上記距離Ｌ１と等しくなるように、隔壁部２３をファン３２Ａから離したときの隔壁部２３を示す。このように、距離Ｌ１と距離Ｌ４とが一致し、距離Ｌ３と距離Ｌ６とが一致しているため、ファン３２の送風能力と、ファン３２Ａの送風能力とは略一致する。その一方で、隔壁部２３Ａは隔壁部２３よりも、距離Ｌ５分だけ、図１に示す冷凍室８側に移動している。このように、ファン３２を傾斜させることで、ファン３２の送風能力を維持しつつ、図１に示す冷凍室８などの冷却室の容積を広く確保することができる。
【００５４】
図４および図５において、隔壁部２５の表面のうち、背面壁２１側の主表面には、ルーバ５２およびルーバ５３が設けられている。
【００５５】
ルーバ５２とルーバ５３は、ファン３２の両側に配置されている。ルーバ５２および
ルーバ５３の案内面も、傾斜部４６と同様に、下方から上方に向かうにつれて、背面壁２１側に傾斜するように傾斜している。
【００５６】
収容室２４内には、冷却器１８によって冷却された空気をファン３２に向けて案内する案内部材が設けられており、案内部材は案内壁部５０および案内壁部５１を含む。ファン３２は、冷却器１８の幅方向の中央部の上方に設けられており、案内壁部５０および案内壁部５１は、冷却器１８の上方であって、ファン３２の両側に配置されている。
【００５７】
案内壁部５０および案内壁部５１は、上方に向かうにつれて互いに近接するように形成されており、案内壁部５０および案内壁部５１は、いずれも、湾曲面状に形成されている。
【００５８】
案内壁部５０と、上壁部４３と、側壁部４１とによって収容室５４が形成されており、上壁部４３と、側壁部４２と案内壁部５１とによって収容室５５が形成されている。収容室５４は、案内壁部５０に対してファン３２と反対側に形成されており、収容室５５は、案内壁部５１に対してファン３２と反対側に形成されている。アキュームレータ１９は、収容室５４内に収容されており、制御部３０は収容室５５内に収容されている。
【００５９】
このように、収容室５４にアキュームレータ１９を収容すると共に、収容室５５内に
制御部３０を収容することで、収容室２４内におけるデッドスペースの有効活用を図ることができ、収容室２４内における機器の搭載効率の向上を図ることができる。
【００６０】
アキュームレータ１９や制御部３０を収容室２４内に収容することで、図１に示す冷蔵室６、製氷室７、冷凍室８および野菜室９等の冷却室の容積が狭められることを抑制することができ、野菜などの冷却対象物の収容容積を大きく確保することができる。
【００６１】
図６は、上記図３および図４に示すように、ファン３２の両側に案内壁部５０および案内壁部５１を配置したときの空気の流れを示すシミュレーション結果である。図７は、案内壁部５０および案内壁部５１を配置しないときの空気の流れを示すシミュレーション結果である。
【００６２】
図６に示すように、冷却器１８によって冷却された空気は、案内壁部５０および案内壁部５１によって良好に案内され、渦の発生が抑制されていることが分かる。その一方で、図７に示すように、案内壁部５０および案内壁部５１が設けられていない比較例においては、収容室２４の角部において、空気が渦を巻いていることが分かる。
【００６３】
このように、本実施の形態１に係る冷却庫１によれば、冷却された空気がファン３２によって良好に吹き出され、冷蔵室６等の冷却室に良好に冷気を供給することができ、冷却効率の向上を図ることができることが分かる。
【００６４】
なお、案内壁部５０および案内壁部５１は、発砲スチロール（foamed polystyrene）などの断熱材料から形成されている。
【００６５】
図３および図４に示す例においては、案内壁部５０および案内壁部５１を湾曲させた例について説明したが、案内壁部５０および案内壁部５１の形状として他の形状を採用することができる。
【００６６】
図８は、案内壁部５０および案内壁部５１の変形例を示す斜視図である。この図８に示す例においては、案内壁部５０および案内壁部５１は平板状に形成されている。なお、図８に示す例においても、案内壁部５０および案内壁部５１の間隔は、下方から上方に向かうにつれて小さくなるように形成されている。
【００６７】
図９は、図８に示す案内壁部５０および案内壁部５１を採用したときの空気の流れシミュレーションしたときの結果を示す図である。この図９に示すように、案内壁部５０および案内壁部５１を平板状に形成した場合においても、冷却器１８によって冷却された空気は、案内壁部５０および案内壁部５１によって良好にファン３２に案内され、空気が渦を巻くことが抑制されていることが分かる。
【００６８】
なお、図８に示す例においても、収容室５４内にアキュームレータ１９を配置したり、収容室５５内に制御部３０を配置することで、機器の搭載効率の向上が図られている。
【００６９】
（実施の形態２）
図１０と図１１および適宜図１を用いて、実施の形態２に係る冷却庫について説明する。なお、図１０および図１１に示す構成のうち、上記図１から図９に示す構成と同一または相当する構成については同一の符号を付してその説明を省略する場合がある。
【００７０】
図１０は、本実施の形態２に係る冷却庫１に設けられた収容室２４およびファン３２等を示す斜視図であり、図１１は、図１０に示された収容室２４などの正面図である。
【００７１】
図１０および図１１に示すように、冷却器１８は、冷却器１８および側壁部４１の間に設けられた支持部材５６と、側壁部４２および冷却器１８の間に設けられた支持部材５７とによって支持されている。
【００７２】
案内壁部５０と、冷却器１８の上面との間には隙間６０が設けられている。案内壁部５０および上壁部４３の間にも、隙間６１が設けられている。
【００７３】
案内壁部５０、上壁部４３および側壁部４１とによって形成された収容室５４には、隙間６１および隙間６０が形成されており、ファン３２が駆動することで、隙間６０から冷却器１８によって冷却された空気が収容室５４内に入り込む。入り込んだ冷気は、アキュームレータ１９と接触した後、隙間６１から収容室５４の外部に排出される。
【００７４】
冷却器１８によって冷却された空気の水蒸気圧は低いため、アキュームレータ１９に霜が付着している場合には、霜が気化し易くなる。この結果、アキュームレータ１９に霜が付着し難くなる。
【００７５】
案内壁部５１、上壁部４３および側壁部４２によって形成された収容室５５には、制御部３０が収容されている。案内壁部５１と冷却器１８の上面との間には、隙間６２が設けられており、案内壁部５１と上壁部４３との間にも隙間６３が設けられている。
【００７６】
ファン３２が駆動すると、冷却器１８によって冷却された空気が収容室５５内に入り込み、冷却された空気が制御部３０と接触する。その後、空気は隙間６３から収容室５５の外部に排出される。
【００７７】
冷却器１８によって冷却された空気の水蒸気圧は低いので、冷却器１８によって冷却された空気が制御部３０に接触することで、天板壁２０に付着した霜は気化し易くなる。この結果、制御部３０に霜が付着し難くなる。さらに、制御部３０に冷たい空気をあてることで、制御部３０を冷却することができ、制御部３０の動作不良の低減を図ることができる。
【００７８】
（実施の形態３）
図１２から図１４を用いて、本実施の形態３に係る冷却庫について説明する。なお、図１２から図１４に示す構成のうち、上記図１から図１１に示す構成と同一または相当する構成については、同一の符号を付してその説明を省略する場合がある。
【００７９】
図１２は、本実施の形態３に係る冷却庫に設けられた収容室２４、ファン３２および冷却器１８などを示す斜視図である。この図１２に示すように、収容室２４のうち、上壁部４３および側壁部４１によって形成された角部には、案内部材６５が設けられている。
【００８０】
収容室２４のうち、上壁部４３および側壁部４２によって形成された角部には、案内部材６６が設けられている。
【００８１】
案内部材６５には、冷却器１８によって冷却された空気をファン３２に向けて案内する案内面６７が形成されており、案内部材６６にも冷却器１８によって冷却された空気をファン３２に向けて案内する案内面６８が形成されている。案内面６７および案内面６８は、ファン３２の側方からファン３２の上端側に向けて延びており、案内面６７および案内面６８は、湾曲面状に形成されている。
【００８２】
冷却器１８によって冷却された空気は、案内面６７および案内面６８によって案内され、ファン３２に達するまでの間に渦を巻くことが抑制されている。
【００８３】
支持部材５６は、案内面６７から上壁部４３および側壁部４１までの空間を占めるように中実状に形成されており、発砲スチロール（foamed polystyrene）などの断熱材料から構成されている。案内部材６６は、案内面６８から上壁部４３および側壁部４２までの空間を占めるように中実状に形成されており、発砲スチロール（foamed polystyrene）などの断熱材料から構成されている。
【００８４】
中実状の案内部材６５および案内部材６６を断熱材料で形成することで、冷却器１８によって冷却された空気が収容室２４の外部の熱によって、暖められることを抑制することができる。
【００８５】
（実施の形態４）
図１３および図１４を用いて、本実施の形態４に係る冷却庫について説明する。図１３および図１４に示す構成のうち、図１から図１２に示す構成と同一または相当する構成についてはその説明を省略する場合がある。図１３は、収容室２４および冷却器１８等を
示す斜視図であり、図１４は、図１３に示す収容室２４および冷却器１８などの正面図である。
【００８６】
図１３および図１４に示すように、収容室２４内のうち、上壁部４３および側壁部４１によって形成されるの角部には、案内部材７０が設けられており、上壁部４３および側壁部４２によって形成される角部には、案内部材７１が設けられている。
【００８７】
案内部材７０は、冷却器１８によって冷却された空気を案内する案内面７２を含み、案内部材７１も、冷却器１８によって冷却された空気を案内する案内面７３を含む。
【００８８】
なお、図１３および図１４に示す例においては、案内部材７０および案内部材７１は互いに連結されており、案内面７２および案内面７３は、接合点７４において互いに接続されている。接合点７４は、ファン３２の回転中心よりも側壁部４２側に位置すると共に、ファン３２の上方に位置している。
【００８９】
案内面７２は、冷却器１８側の下端部７６からファン３２の側方、およびファン３２の上方をとおり接合点７４に達するように延びており、湾曲面状に形成されている。案内面７３は、冷却器１８側の下端部７５からファン３２の側方をとおり接合点７４に達するように湾曲面状に形成されている。
【００９０】
収容室２４内のうち、冷却器１８より上方に位置すると共に、ファン３２と案内部材７１（案内面７３）との間に位置する容積が、収容室２４内のうち、冷却器１８より上方に位置すると共に、ファン３２と案内部材７０（案内面７２）との間に位置する容積よりも大きくなるように、案内面７２および案内面７３が湾曲している。
【００９１】
ファン３２は、冷却器１８の幅方向の中央部に位置しており、案内面７２の下端部７６とファン３２との間の距離と、案内面７３の下端部７５とファン３２との間の距離は等しい。その一方で、下端部７５，７６よりも上方に位置する部分であって、高さ方向に同一の位置で、案内面７２およびファン３２の間の距離と、案内面７３およびファン３２の間の距離とを比較すると、案内面７３およびファン３２の間の距離の方が、案内面７２およびファン３２の間の距離よりも大きい。
【００９２】
案内面７３のうち、ファン３２の上端部より下方に位置する部分の曲率半径は、案内面７２のうち、ファン３２の上端部よりも下方に位置する部分の曲率半径よりも大きい。
【００９３】
ファン３２は、回転方向Ｒに回転している。具体的には、ファン３２は、側壁部４２側、上壁部４３および側壁部４１を順次通るように回転する。
【００９４】
このため、図１４に示すように、冷却器１８を経由した空気は、回転方向Ｒに旋回しながら、ファン３２に近づくように渦状に流れようとする。
【００９５】
冷却器１８のうち、ファン３２よりも側壁部４２側を通過した空気は、冷却器１８から良好に引き出され、回転方向Ｒに旋回しつつ、ファン３２に近接するように流れる。冷却器１８のうち、ファン３２の下方に位置する部分を通過した空気は、冷却器１８の略直上に位置するファン３２に引き込まれる。
【００９６】
冷却器１８のうち、ファン３２より側壁部４１側に位置する部分を通過する空気の流れの方向と、ファン３２の周囲を旋回する空気の流れとは、互いに略反対の方向を向いている。
【００９７】
このため、冷却器１８によって冷却された空気は、主に、冷却器１８のうち、ファン３２よりも側壁部４２側に位置する部分から引き出される。この結果、ファン３２の側壁部４２側を流れる冷気の方が、ファン３２の側壁部４１側を流れる冷気よりも多くなる。
【００９８】
ここで、高さ方向に同一の位置で、案内面７３およびファン３２の間の距離と、案内面７２およびファン３２の間の距離とを比較すると、案内面７３およびファン３２の間の距離の方が大きいため、冷却器１８によって冷却された冷気は良好にファン３２および案内面７３の間を流れることができる。さらに、案内面７３および案内面７２は、湾曲面状に形成されており、ファン３２の周囲を旋回する冷気が渦を巻くことが抑制されている。
【００９９】
（実施の形態５）
図１５を用いて、本実施の形態５に係る冷却庫について説明する。なお、図１５に示す構成のうち、上記図１から図１４に示す構成と同一または相当する構成については、同一の符号を付してその説明を省略する場合がある。
【０１００】
図１５において、収容室２４内のうち、上壁部４３と側壁部４１によって形成された角部には、案内部材６５が配置されている。収容室２４内のうち、上壁部４３および側壁部４２によって形成された角部には、案内部材６６が配置されている。
【０１０１】
収容室２４内には、案内壁部５０が配置されており、案内壁部５０は案内部材６５よりもファン３２側に間隔をあけて配置されている。案内部材６５と案内壁部５０との間には、冷却通路８０が形成されている。
【０１０２】
収容室２４内には、案内壁部５１が配置されており、案内壁部５１は案内部材６６よりもファン３２側に間隔をあけて配置されている。案内部材６６および案内壁部５１の間には、冷却通路８１が形成されている。
【０１０３】
冷却通路８０を規定する案内部材６５の案内面６７および案内壁部５０の側面は、互いに略平行に延びており、いずれも湾曲している。冷却通路８１を規定する案内部材６６の案内面６８および案内壁部５１の側面は、互いに平行に延びており、いずれも、湾曲している。冷却通路８０および冷却通路８１の下端部は、冷却器１８の上端に位置しており、冷却通路８０および冷却通路８１の上端部は、ファン３２に向けて開口している。冷却通路８０内には、アキュームレータ１９が配置されており、冷却通路８１内には、制御部３０が配置されている。
【０１０４】
ファン３２が駆動すると、冷却通路８０の下端部から冷気が冷却通路８０内に入り込み、アキュームレータ１９に冷却器１８からの冷気が吹き付けられ、冷却器１８に形成された霜が気化し易くなる。同様に、冷却通路８１の下端部から冷気が冷却通路８１内に入り込み、制御部３０に冷気が吹き付けられ、制御部３０に形成された霜が気化し易くなる。
【０１０５】
案内部材６５，６６と、案内壁部５０，５１とは、いずれも、断熱材料から構成されており、外部の熱によって、冷気が暖められることを抑制することができる。
【０１０６】
なお、冷却器１８によって冷却された空気の大部分は、案内壁部５０，５１によってファン３２に案内される。案内壁部５０，５１は、円弧状に湾曲しており、冷却器１８を通過した空気がファン３２に達するまでの間に渦を巻くことが抑制されている。
【０１０７】
図１から図１５に示す例においては、ルーバ５２およびルーバ５３をファン３２の両側に配置した例について説明したが、ルーバ５２およびルーバ５３は必ずしも必須の構成ではない。図１６は、図１２に示す例の第１変形例を示す斜視図である。この図１６に示す例においては、図１２に示す例とは異なりルーバ５２およびルーバ５３が隔壁部２５に設けられていない。さらに、図１６に示す例においては、図１に示すように、ファン３２は、収容室２４側に倒れこむように傾斜しているが、ファン３２を傾斜させることは必ずしも必須ではない。図１７は、図１２に示す例の第２変形例を示す斜視図である。この図１７に示す例においては、ファン３２は傾斜しておらず、隔壁部２５に沿うように配置されている。
【０１０８】
図１８は、図１６に示す例の変形例を示す斜視図であり、案内部材６５および案内部材６６の案内面６７および案内面６８を傾斜面としてもい。図１９は、図１７に示す例の変形例であり、この図１９に示すように、案内部材６５および案内部材６６の案内面６７および案内面６８を傾斜面としてもい。
【実施例】
【０１０９】
図２０、図２１および下記表１を用いて、本発明が適用された例のファン３２の送風量と、比較例の送風量とについてのシミュレーション結果について説明する。
【０１１０】
図２０は、本発明に係る冷却庫のファン３２、案内部材６５，６６および冷却器１８を模式的に示した図でありシミュレーションを行った、図２１は、耳部９０，９１、ファン３２および冷却器１８を模式的に示した図である。
【０１１１】
なお、下記表１においてファン傾きとは、鉛直方向に延びる仮想線に対するファン３２の回転軸線の傾斜角度を意味する。距離Ａとは、図２０および図２１に示すように、ファン３２および冷却器１８との間の距離を示す。距離Ｂとは、図２１に示すように、案内部材６６の上端とファン３２との水平方向の距離を意味する。距離Ｃとは、図２０に示す例においては、案内部材６６，６５の下端部と冷却器１８との間の距離を示す。図２１においては、距離Ｃとは、耳部９０，９１の下端部と冷却器１８との間の距離を意味する。距離Ｄとは、図２１に示す耳部９０，９１と、ファン３２との間の距離を意味する。
【０１１２】
下記表１において、例１は、図２０において、案内部材６５，６６を設けず、さらに、ファン３２が傾斜していない。さらに、距離Ａが２０ｍｍとされている。
【０１１３】
【表１】
2012042077.tif 000003
【０１１４】
表１において、比率とは、上記の例１の風量を基準として各例２〜２２の風量の増減を示す。表１において、例２〜７と、例１４，１５，１８，２０，２２は、図２０に示す例であって、ファンの傾き、距離Ａ、距離Ｂおよび距離Ｃを各々変更した例である。表１において、例８，９，１０，１２，１３，１７は、形成された図２１に示す例において、ファンの傾き、距離Ａ、距離Ｂ、距離Ｃおよび距離Ｄを適宜変更した例を示す。
【０１１５】
表１において、「耳なし」と記載された例１，１１，１６，１９，２１は、案内部材６５，６６が設けられていない例を示し、ファンの傾きおよび距離Ｄを適宜変更した例を示す。
【０１１６】
表１に示すように、例２〜７は、例１と比較して、風量はほとんど変わらない。その一方で、例２〜７は、案内部材６５および案内部材６６を備えており、外部の熱によって、冷却器１８によって冷却された空気が暖められることを抑制することができる。さらに、案内部材６５，６６に替えて、図４などに示す案内壁部５０，５１とすることで、アキュームレータ１９および制御部３０などの機器を収容可能な収容室５４および収容室５５を形成することができる。
【０１１７】
例２０および例２２に示すように、ファン３２を傾けることで、ファン３２を傾けない場合よりも送風量の向上を図ることができることが分かる。ここで、例２〜７は、例８〜１０よりも、送風量が多いことが分かる。例１４，１５の送風量は、例１２，１３の送風量よりも多いことが分かる。例１８の送風量は、例１７に示す送量よりも多いことが分かる。このため、本発明に係る冷却庫１のファン３２の冷却効率は、図２１に示す冷却庫の冷却効率よりも高いことが分かる。
【０１１８】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１１９】
本発明は、冷却庫に適用することができる。
【符号の説明】
【０１２０】
２  筐体、３  外箱、４  内箱、５  断熱材、６  冷蔵室、７  製氷室、８  冷凍室、９  野菜室、１０，１１，１２，１３  扉、１４，１５  断熱壁、１６  機械室、１７  圧縮機、１７  例、１８  冷却器、１９  アキュームレータ、２０  天板壁、２１  背面壁、２２  冷気通路、２３，２５，２６  隔壁部、２４，５４，５５  収容室、２７，８０，８１  冷却通路、２８，３２  ファン、２９  ダンパ、３０  制御部、３１  開口部、３３  ヒータ、３４  ヒータカバ、３５，３６  戻り通路、３７  冷媒管、３８  冷却フィン、３９  始端部、４０  終端部、４１，４２  側壁部、４３  上壁部、４４  主壁部、４５  平坦部、４６  傾斜部、５０，５０，５１，５１  案内壁部、５２，５３  ルーバ、５６，５７  支持部材、６０，６１，６２，６３  隙間、６５，６６，６５，６６，６６，６５，７０，７１  案内部材、６７，６８，７２，７３  案内面、７４  とおり接合点、７４  接合点、７５，７５，７６，７６  下端部、９０，９１  耳部、Ａ，Ｂ，Ｃ，Ｄ  距離、Ｒ  回転方向。
【図１】
2012042077.tif 000004
【図２】
2012042077.tif 000005
【図３】
2012042077.tif 000006
【図４】
2012042077.tif 000007
【図５】
2012042077.tif 000008
【図６】
2012042077.tif 000009
【図７】
2012042077.tif 000010
【図８】
2012042077.tif 000011
【図９】
2012042077.tif 000012
【図１０】
2012042077.tif 000013
【図１１】
2012042077.tif 000014
【図１２】
2012042077.tif 000015
【図１３】
2012042077.tif 000016
【図１４】
2012042077.tif 000017
【図１５】
2012042077.tif 000018
【図１６】
2012042077.tif 000019
【図１７】
2012042077.tif 000020
【図１８】
2012042077.tif 000021
【図１９】
2012042077.tif 000022
【図２０】
2012042077.tif 000023
【図２１】
2012042077.tif 000024
【手続補正書】
【提出日】平成23年10月21日(2011.10.21)
【手続補正１】
【補正対象書類名】明細書
【補正対象項目名】００１９
【補正方法】変更
【補正の内容】
【００１９】
本発明に係る冷却庫は、１つの局面では、冷却対象物を冷却する冷却室と、冷却室に供給される冷気を生成する冷却器と、冷却器が収められると共に、冷却器から上方に向けて延びる収容室を形成する筐体と、収容室の内側面のうち、冷却器よりも上方に位置する部分に形成された開口部と、開口部に設けられ、冷気を開口部から冷却室に供給するファンと、収容室内に設けられると共に、ファンの側方からファンの上端側に向けて延び、冷却器からの冷気をファンに案内する案内壁部と、冷却器に接続された気液分離器と、案内壁部に対してファンと反対側に位置し、案内壁部および前筐体の間に形成され、気液分離器が収容された収容室とを備える。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】変更
【補正の内容】
【００２３】
本発明に係る冷却庫は、他の局面では、冷却対象物を冷却する冷却室と、冷却室に供給される冷気を生成する冷却器と、冷却器が収められると共に、冷却器から上方に向けて延びる冷却器収容室を形成する筐体と、冷却器収容室の内側面のうち、冷却器よりも上方に位置する部分に形成された開口部と、開口部に設けられ、冷気を開口部から冷却室に供給するファンと、冷却器収容室内に設けられると共に、ファンの側方からファンの上端側に向けて延び、冷却器からの冷気をファンに案内する案内壁部と、冷却器の駆動を制御する制御部と、案内壁部に対してファンと反対側に位置し、案内壁部および前筐体の間に形成され、制御部が収容された機器収容室とを備える。
【手続補正４】
【補正対象書類名】明細書
【補正対象項目名】００２５
【補正方法】変更
【補正の内容】
【００２５】
上記筐体は、冷却室側に位置する隔壁部と、隔壁部の側辺に設けられた第１側壁部と、第１側壁部と対向する第２側壁部と、隔壁部と対向する背面壁部と、隔壁部の上端に設けられた上壁部とによって形成される。上記開口部は隔壁部に形成され、ファンは、上方に向かうにつれて、隔壁部から背面壁部に向かうように傾斜させられる。
【手続補正５】
【補正対象書類名】明細書
【補正対象項目名】００２６
【補正方法】変更
【補正の内容】
【００２６】
上記隔壁部のうち、案内壁部と第１側壁部との間に設けられた第１ルーバと、隔壁部のうち、案内壁部と第２側壁部との間に設けられた第２ルーバとをさらに備える。上記第１ルーバおよび第２ルーバは、上方に向かうにつれて、隔壁部から背面壁部に向かうように傾斜させられる。
【手続補正６】
【補正対象書類名】明細書
【補正対象項目名】００２７
【補正方法】変更
【補正の内容】
【００２７】
本発明に係る冷却庫は、他の局面では、冷却対象物を冷却する冷却室と、冷却室に供給される冷気を生成する冷却器と、冷却器が収められると共に、冷却器から上方に向けて延びる冷却器収容室を形成する筐体と、冷却器収容室の内側面のうち、冷却器よりも上方に位置する部分に形成された開口部と、開口部に設けられ、冷気を開口部から冷却室に供給するファンと、冷却器収容室内に設けられると共に、ファンの側方からファンの上端側に向けて延び、冷却器からの冷気をファンに案内する案内壁部と、案内壁部に対してファンと反対側に位置し、案内壁部および前筐体の間に形成され、機器を収容可能な機器収容室とを備える。上記筐体は、冷却室側に位置する隔壁部と、隔壁部の側辺に設けられた第１側壁部と、第１側壁部と対向する第２側壁部と、隔壁部と対向する背面壁部と、隔壁部の上端に設けられた上壁部とによって形成される。上記開口部は隔壁部に形成され、ファンは、第１側壁部側、上壁部側および第２側壁部側を順次通るように回転する。上記収容室のうち、冷却器よりも上方であって、ファンと第１側壁部との間にする容積は、冷却器よりも上方であって、ファンと第２側壁部との間にする容積よりも大きい。本発明に係る冷却庫は、他の局面では、冷却対象物を冷却する冷却室と、冷却室に供給される冷気を生成する冷却器と、冷却器が収められると共に、冷却器から上方に向けて延びる冷却器収容室を形成する筐体と、冷却器収容室の内側面のうち、冷却器よりも上方に位置する部分に形成された開口部と、開口部に設けられ、冷気を開口部から冷却室に供給するファンと、冷却器収容室内に設けられると共に、ファンの側方からファンの上端側に向けて延び、冷却器からの冷気をファンに案内する案内壁部とを備える。上記案内壁部は、断熱材料から形成される。上記筐体は、冷却室側に位置する隔壁部と、隔壁部の側辺に設けられた第１側壁部と、第１側壁部と対向する第２側壁部と、隔壁部と対向する背面壁部と、隔壁部の上端に設けられた上壁部とによって形成される。上記開口部は隔壁部に形成される。上記ファンは、第１側壁部側、上壁部側および第２側壁部側を順次通るように回転する。上記冷却器収容室のうち、冷却器よりも上方であって、ファンと第１側壁部との間にする容積は、冷却器よりも上方であって、ファンと第２側壁部との間にする容積よりも大きい。
【手続補正７】
【補正対象書類名】特許請求の範囲
【補正対象項目名】全文
【補正方法】変更
【補正の内容】
【特許請求の範囲】
【請求項１】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
前記冷却器に接続された気液分離器と、
前記案内壁部に対して前記ファンと反対側に位置し、前記案内壁部および前筐体の間に形成され、前記気液分離器が収容された機器収容室と、
を備えた、冷却庫。
【請求項２】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
前記冷却器の駆動を制御する制御部と、
前記案内壁部に対して前記ファンと反対側に位置し、前記案内壁部および前筐体の間に形成され、前記制御部が収容された機器収容室と、
を備えた、冷却庫。
【請求項３】
前記機器収容室には、前記冷却器からの冷気を取りれる取入口と、前記機器収容室内の空気を前記ファンに向けて排気する排気口とが形成された、請求項１または請求項２に記載の冷却庫。
【請求項４】
前記案内壁部は、断熱材料から形成された、請求項１から請求項３のいずれかに記載の冷却庫。
【請求項５】
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とを含み、
前記隔壁部および前記第１側壁部によって第１角部が形成され、
前記隔壁部および前記第２側壁部によって第２角部が形成され、
前記案内壁部は、前記ファンと隣り合う第１案内側壁部と、前記ファンに対して前記第１案内側壁部と反対側に位置する第２案内側壁部とを含み、
前記機器収容室は、前記第１角部および前記第１案内側壁部によって形成された第１分割収容室と、前記第２角部および前記第２案内側壁部によって形成された第２分割収容室とを含む、請求項１から請求項４のいずれかに記載の冷却庫。
【請求項６】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
を備え、
前記案内壁部は、断熱材料から形成され、
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とによって形成され、
前記開口部は前記隔壁部に形成され、
前記ファンは、上方に向かうにつれて、前記隔壁部から前記背面壁部に向かうように傾斜させられ、
前記隔壁部のうち、前記案内壁部と前記第１側壁部との間に設けられた第１ルーバと、前記隔壁部のうち、前記案内壁部と前記第２側壁部との間に設けられた第２ルーバとをさらに備え、
前記第１ルーバおよび前記第２ルーバは、上方に向かうにつれて、前記隔壁部から前記背面壁部に向かうように傾斜させられた、冷却庫。
【請求項７】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
前記案内壁部に対して前記ファンと反対側に位置し、前記案内壁部および前筐体の間に形成され、機器を収容可能な機器収容室と、
を備え、
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とによって形成され、
前記開口部は前記隔壁部に形成され、
前記ファンは、前記第１側壁部側、前記上壁部側および前記第２側壁部側を順次通るように回転し、
前記冷却器収容室のうち、前記冷却器よりも上方であって、前記ファンと前記第１側壁部との間にする容積は、前記冷却器よりも上方であって、前記ファンと前記第２側壁部との間にする容積よりも大きい、冷却庫。
【請求項８】
冷却対象物を冷却する冷却室と、
前記冷却室に供給される冷気を生成する冷却器と、
前記冷却器が収められると共に、前記冷却器から上方に向けて延びる冷却器収容室を形成する筐体と、
前記冷却器収容室の内側面のうち、前記冷却器よりも上方に位置する部分に形成された開口部と、
前記開口部に設けられ、前記冷気を前記開口部から前記冷却室に供給するファンと、
前記冷却器収容室内に設けられると共に、前記ファンの側方から前記ファンの上端側に向けて延び、前記冷却器からの冷気を前記ファンに案内する案内壁部と、
を備え、
前記案内壁部は、断熱材料から形成され、
前記筐体は、前記冷却室側に位置する隔壁部と、前記隔壁部の側辺に設けられた第１側壁部と、前記第１側壁部と対向する第２側壁部と、前記隔壁部と対向する背面壁部と、前記隔壁部の上端に設けられた上壁部とによって形成され、
前記開口部は前記隔壁部に形成され、
前記ファンは、前記第１側壁部側、前記上壁部側および前記第２側壁部側を順次通るように回転し、
前記冷却器収容室のうち、前記冷却器よりも上方であって、前記ファンと前記第１側壁部との間にする容積は、前記冷却器よりも上方であって、前記ファンと前記第２側壁部との間にする容積よりも大きい、冷却庫。